(57)【特許請求の範囲】
【請求項１】
少なくとも作業を施す作業対象物とその識別情報と、前記作業対象物に対する作業の間に作業の対象から隔離するための隔離対象物とその識別情報と、を表す図面データを取得する図面データ取得部と、
前記隔離対象物の識別情報と前記隔離対象物の管理に関する報告書情報とを少なくとも表す隔離対象管理データを取得する隔離対象管理データ取得部と、
前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成するリンクデータ生成部と、
を備える情報管理装置。
【請求項２】
前記リンクデータを前記指定操作される前記隔離対象物を示す前記図面データ上の表示情報に関連付けて表示されるよう前記図面データを更新する図面データ更新部と、
を備える請求項１に記載の情報管理装置。
【請求項３】
前記リンクデータは、前記隔離対象管理データの保存先を示す保存先情報を保持したアイコン画像である
請求項１または請求項２に記載の情報管理装置。
【請求項４】
前記図面データ更新部の更新した図面データの送信要求に基づいて、送信要求装置へ送信する送信部と、
を備える請求項２に記載の情報管理装置。
【請求項５】
少なくとも作業を施す作業対象物とその識別情報と、前記作業対象物に対する作業の間に作業の対象から隔離するための隔離対象物とその識別情報と、を表す図面データを取得し、
前記隔離対象物の識別情報と前記隔離対象物の管理に関する報告書情報とを少なくとも表す隔離対象管理データを取得し、
前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成する
情報管理方法。
【請求項６】
情報管理装置のコンピュータを、
少なくとも作業を施す作業対象物とその識別情報と、前記作業対象物に対する作業の間に作業の対象から隔離するための隔離対象物とその識別情報と、を表す図面データを取得する図面データ取得手段、
前記隔離対象物の識別情報と前記隔離対象物の管理に関する報告書情報とを少なくとも表す隔離対象管理データを取得する隔離対象管理データ取得手段、
前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成するリンクデータ生成手段、
として機能させるプログラム。
【発明の詳細な説明】
【技術分野】
【０００１】
本発明は、情報管理装置、情報管理方法、プログラムに関する。
【背景技術】
【０００２】
作業対象が数多く存在するプラントなどでは、そのプラントの各所に配置されている作業対象となりうる対象物の位置が分かるように描かれた図面等を見ながら所定の作業対象物に対する修理や交換などの作業を行うことが多い。プラントの場合の作業対象物とはバルブや配管、各種スイッチなどが想定される。関連する技術として特許文献１が開示されている。
【先行技術文献】
【特許文献】
【０００３】
【特許文献１】特開２００８−１９１７２５号公報
【発明の概要】
【発明が解決しようとする課題】
【０００４】
特許文献１には、プラントの保守点検作業において作業対象物に貼付するための作業タグを的確に効率よく発行、回収管理し、隔離処理の作業記録を迅速に収集できる技術が開示されている。ところでこのような保守点検作業においては、作業を施す作業対象物と、その作業対象物に対する作業の間に保守担当者等によって扱われることなく状態保存して隔離すべき隔離対象物とが存在する。例えばある一部分の配管が作業対象でありその配管を交換する作業が発生した場合、その作業対象の配管に繋がる他の配管等に設けられた弁の開度を閉にして、配管を流れる媒体が作業対象の配管に流れ込まないようにする必要がある。このような状態で他の配管に設けられた弁の開度を開いてしまうと、配管を流れる媒体が作業対象の配管に流れ込む為、他の配管に設けられた弁は管理者などによって扱われることなく閉の状態を保存して隔離すべき隔離対象物として作業対象物の作業が完了するまで管理しておく必要がある。
【０００５】
上述の隔離対象物の特定は、保守点検作業を行う作業者によって報告書に纏められ、報告書に基づいて管理を行うことがある。しかしながら、一つのプラントでは異なる保守事業者の各作業者によって保守作業が行われることもある。ある保守事業者に所属する作業者が行う作業において、他の保守事業者に所属する作業者が作成した報告書に記載されている隔離対象物を考慮して作業を行う必要がある場合、その隔離対象物の情報が錯綜することもある。よって隔離対象物の把握を容易に行うことのできる技術が求められていた。
【０００６】
そこでこの発明は、上述の課題を解決する情報管理装置、情報管理方法、プログラムを提供することを目的としている。
【課題を解決するための手段】
【０００７】
本発明の第１の態様によれば、情報管理装置は、少なくとも作業を施す作業対象物とその識別情報と、前記作業対象物に対する作業の間に作業の対象から隔離するための隔離対象物とその識別情報と、を表す図面データを取得する図面データ取得部と、前記隔離対象物の識別情報と前記隔離対象物の管理に関する報告書情報とを少なくとも表す隔離対象管理データを取得する隔離対象管理データ取得部と、前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成するリンクデータ生成部と、を備える。
【０００８】
上述の情報管理装置において、前記リンクデータを前記指定操作される前記隔離対象物を示す前記図面データ上の表示情報に関連付けて表示されるよう前記図面データを更新する図面データ更新部と、を備える。
【０００９】
また上述の情報管理装置において、前記リンクデータは、前記隔離対象管理データの保存先を示す保存先情報を保持したアイコン画像である。
【００１０】
また上述の情報管理装置において、前記図面データ更新部の更新した図面データの送信要求に基づいて、送信要求装置へ送信する送信部と、を備える。
【００１１】
また本発明の第２の態様によれば、情報管理方法は、少なくとも作業を施す作業対象物とその識別情報と、前記作業対象物に対する作業の間に作業の対象から隔離するための隔離対象物とその識別情報と、を表す図面データを取得し、前記隔離対象物の識別情報と前記隔離対象物の管理に関する報告書情報とを少なくとも表す隔離対象管理データを取得し、前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成する。
【００１２】
また本発明の第３の態様によれば、プログラムは、情報管理装置のコンピュータを、少なくとも作業を施す作業対象物とその識別情報と、前記作業対象物に対する作業の間に作業の対象から隔離するための隔離対象物とその識別情報と、を表す図面データを取得する図面データ取得手段、前記隔離対象物の識別情報と前記隔離対象物の管理に関する報告書情報とを少なくとも表す隔離対象管理データを取得する隔離対象管理データ取得手段、
前記図面データに含まれる前記隔離対象物の識別情報と、前記隔離対象管理データに含まれる前記隔離対象物の識別情報との比較に基づいて、前記隔離対象管理データに含まれる隔離対象物に一致する前記図面データ内の隔離対象物それぞれを順に判定し、その隔離対象物を示す表示情報が指定操作された際にその隔離対象物の識別情報を含む前記隔離対象管理データを記憶部から取得して表示するためのリンクデータを前記隔離対象物それぞれについて生成するリンクデータ生成手段、として機能させる。
【発明の効果】
【００１３】
本発明によれば、作業対象物に対する作業の間に保守担当者等によって扱われることなく状態保存して隔離すべき隔離対象物の情報を容易に作成し、また把握することができる。
【図面の簡単な説明】
【００１４】
【図１】本発明の一実施形態による情報管理装置を備えた情報管理システムを示す図である。
【図２】本発明の一実施形態による情報管理装置のハードウェア構成を示す図である。
【図３】本発明の一実施形態による情報管理装置の機能ブロック図である。
【図４】本発明の一実施形態による図面データの一例を示す図である。
【図５】本発明の一実施形態による報告書データの一例を示す図である。
【図６】本発明の一実施形態による情報管理装置の処理フローを示す図である。
【図７】本発明の一実施形態によるリンクデータを含む更新後の図面データの表示例を示す図である。
【図８】本発明の一実施形態による更新後の図面データに対する操作例を示す図である。
【発明を実施するための形態】
【００１５】
以下、本発明の一実施形態による情報管理装置を図面を参照して説明する。
図１は同実施形態による情報管理装置を備えた情報管理システムを示す図である。
この図において、情報管理システムは、情報管理装置１、図面データ記憶装置２、報告書データ記憶装置３、対象物情報記憶装置４が通信ネットワークを介して接続されている。図面データ記憶装置２、報告書データ記憶装置３、対象物情報記憶装置４は予めプラントの保有事業者が保持するデータベースによって構成されるものであってよい。図面データ記憶装置２は図面データを記憶する。図面データは、一例としてはプラントの各所に配置されている作業対象となりうる対象物の位置が分かるように描かれた図面のデータである。報告書データ記憶装置３は、作業を施す作業対象物に対する作業の間に保守担当者等によって扱われることなく状態保存して隔離すべき隔離対象物についての報告書データを記憶する。報告書データには、隔離対象物のＩＤ、状態保存期間、報告者などの情報が記載されてよい。報告書データは隔離対象管理データの一例である。対象物情報記憶装置４は、例えばプラントの各所に配置されている作業対象となりうる対象物についての操作マニュアル、作業管理情報、予備品情報など、対象物に関する様々な対象物の管理情報が記録されている。それら管理情報も隔離対象管理データの一例と定義されてよい。作業対象物は隔離対象物に成り得る対象物である。また隔離対象物も作業対象物と成り得る対象物である。管理情報には対象物のＩＤなど識別情報が記載されている。情報管理装置１は少なくとも図面データ記憶装置２と報告書データ記憶装置３と通信ネットワークを介して接続される。図面データ記憶装置２、報告書データ記憶装置３、対象物情報記憶装置４がそれぞれ記憶する各情報は一つの記憶装置に記録され、その記憶装置と情報管理装置１が通信ネットワークを介して接続されるようにしてもよい。
【００１６】
情報管理装置１は、図面データ記憶装置２から図面データを取得する。情報管理装置１は報告書データ記憶装置３から報告書データを取得する。情報管理装置１は対象物情報記憶装置４から対象物の管理情報を取得する。情報管理装置１は取得した情報を用いて処理を行う。情報管理装置１は、これら取得した情報を用いて、作業対象物に対する作業の間に保守担当者等によって扱われることなく状態保存して隔離すべき隔離対象物を容易に把握できるようにするための新たな図面データを生成する。情報管理装置１は、生成した新たな図面データを携帯端末５へ送信する。
【００１７】
図２は情報管理装置のハードウェア構成を示す図である。
情報管理装置１は図２で示すように、ＣＰＵ（Central Processing Unit）１１、ＩＦ（Interface）１２、通信モジュール１３、ＲＯＭ（Read Only Memory）１４、ＲＡＭ（Random Access Memory）１５、ＨＤＤ（Hard Disk Drive）１６などの構成を備えたコンピュータである。ＩＦ１２は例えばキーボードやマウスなどからの信号を入力する。
【００１８】
図３は情報管理装置の機能ブロック図である。
情報管理装置１は、ユーザの操作に基づいて情報管理プログラムを実行することにより、データ取得部１０１、リンクデータ生成部１０２、図面データ更新部１０３、送信部１０４の各機能を備える。情報管理装置１は記憶部を備えてよい。当該記憶部は図２で示したＲＯＭ１４、ＲＡＭ１５、ＨＤＤ１６などによって実現される。
【００１９】
データ取得部１０１は、少なくとも作業を施す作業対象物とそのＩＤ、作業対象に対する作業の間に作業の対象から隔離するための隔離対象物とそのＩＤなどを表すとともに、それら対象物の位置が分かるように描かれた図面データを取得する。データ取得部１０１は、隔離対象物のＩＤを少なくとも表す隔離対象を管理する際に利用する報告書データを取得する。データ取得部１０１は作業対象物や隔離対象物についての管理情報を取得してよい。
リンクデータ生成部１０２は、図面データに含まれる隔離対象物のＩＤと、報告書データに含まれる隔離対象物のＩＤとに基づいて、図面データ上で隔離対象物を示す表示情報が指定操作された際にその隔離対象物のＩＤを含む隔離対象管理データを表示するためのリンクデータを生成する。リンクデータは、一例としては、隔離対象管理データの保存先を示す保存先情報を保持したアイコン画像であってよい。
【００２０】
図面データ更新部１０３は、ユーザによって指定操作された隔離対象物を示す図面データ上の表示情報に、生成されたリンクデータが関連付けて表示されるよう図面データを更新する。または図面データ更新部１０３は、ユーザによって指定操作された隔離対象物を示す図面データ上の表示情報に、生成されたリンクデータが関連付けて表示される、新たな図面データを生成してもよい。
送信部は、図面データ更新部１０３の更新した図面データまたは新たに生成した図面データの送信要求に基づいて、その図面データを送信要求元の携帯端末へ送信する。
【００２１】
図４は図面データの一例を示す図である。
図４で示す図面データは例えばプラントにおける、ある一部エリアの図面データを示している。図４で示す図面データにおいて、Ａ１１，Ａ１２，Ａ２１，Ａ２２，Ａ３１，Ａ３２，Ａ４１は対応する弁とその弁のＩＤを示している。図４で示す図面データにおいてＢ１０１，Ｂ２０１，Ｂ３０１，Ｂ４０１は対応するタンクとそのタンクのＩＤを示している。図４で示す図面データにおいてＣ１１，Ｃ２１は対応する計測器とその計測器のＩＤを示している。図４で示す図面データにおいてＤ１１１は対応する装置とそのＩＤを示している。図面データ記憶装置２は図４で示すようなプラントの図面データを数多く記憶している。また図４ではプラントの図面データを示しているが、図面データ記憶装置２はその他の図面、たとえば電気系統の回路図の図面データなどを記憶してもよい。図面データとしては、その他、地図、構内図、などであってもよい。図面データの種類については問わない。
【００２２】
図５は報告書データの一例を示す図である。
プラントの保守点検対象の保守点検作業においては、プラント内において作業を施す作業対象物や、その作業対象物に対する作業の間に保守担当者等によって扱われることなく状態保存して隔離すべき隔離対象物とが存在する。例えばある一部分の配管が作業対象でありその配管を交換する作業が発生した場合、その作業対象の配管に繋がる他の配管等に設けられた弁の開度を閉にして、配管を流れる媒体が作業対象の配管に流れ込まないようにする必要がある。このような状態で他の配管に設けられた弁の開度を開いてしまうと、配管を流れる媒体が作業対象の配管に流れ込む為、他の配管に設けられた弁は管理者などによって扱われることなく閉の状態を保存して隔離すべき隔離対象物として作業対象物の作業が完了するまで管理しておく必要がある。したがって、保守担当者等は、隔離対象物の情報を記載した報告書を作成する。報告書データはこの報告書をデータ化した情報であり、報告書データ記憶装置３に記録される。図５で示すように報告書データには、一例としては、隔離対象物名、隔離対象物のＩＤ、作業期間、隔離詳細情報などが記述されている。
【００２３】
本実施形態による情報管理装置１は、上述した図面データや、報告書データなどの隔離対象管理データを取得する。情報管理装置１は、取得した図面データに含まれる隔離対象物のＩＤと、報告書データに含まれる隔離対象物のＩＤとを読み取る。情報管理装置１は読み取ったＩＤを用いて、図面データの表示画面上で隔離対象物を示す表示情報が指定操作された際にその隔離対象物の情報を含む表示情報（隔離対象管理データ）を表示するためのリンクデータを生成する。情報管理装置１は、リンクデータが、指定操作される隔離対象物を示す図面データ上の表示情報に関連付けて表示されるよう図面データを更新または生成する。
【００２４】
図６は情報管理装置の処理フローを示す図である。
次に情報管理装置の処理の詳細について順を追って説明する。
まず情報管理装置１は図面データ記憶装置２と通信接続する。情報管理装置１のデータ取得部１０１は図面データ記憶装置２から図面データを取得する（ステップＳ６０１）。この際、データ取得部１０１は、ユーザ操作に基づいて所定の図面データを取得してもよいし、何らかの規定に従って所定の図面データを取得してもよい。データ取得部１０１は図面データをリンクデータ生成部１０２へ出力する。リンクデータ生成部１０２は、図面データにおいて記述されている作業対象物のＩＤを、文字認識技術を用いて抽出する（ステップＳ６０２）。リンクデータ生成部１０２は、予め文字認識すべきＩＤの文字列の体系についての情報を記憶しており、その文字列の体系に一致するＩＤの全てを図面データから認識するようにしてもよい。これによりリンクデータ生成部１０２は図面データに含まれる作業対象物のＩＤの全てを抽出することができる。リンクデータ生成部１０２が作業対象物のＩＤを認識するための技術としては、ＯＣＲ（Optical Character Recognition）やＡＲ（Augmented Reality）などの公知の技術を利用してよい。なお、情報管理装置１の取得する図面データは、ユーザの手作業によって紙図面がＯＣＲなどで読み取られたデータであってもよい。また図面データに予め作業対象物のＩＤの情報がデータとして埋め込まれており、リンクデータ生成部１０２は、そのＩＤを抽出するようにしてもよい。リンクデータ生成部１０２は図面データから認識した作業対象物のＩＤの一覧情報を生成する（ステップＳ６０３）。リンクデータ生成部１０２はその一覧情報を一時的に記憶する。図４で示す図面データにおいて、弁、タンク、計測器、装置などは全て作業対象物として認識され得る。
【００２５】
リンクデータ生成部１０２は、報告書データ記憶装置３から報告書データを取得する（ステップＳ６０４）。リンクデータ生成部１０２は、図面データに基づいて生成した作業対象物のＩＤの一覧情報からＩＤを順に取得して、報告書データに記述されているＩＤと比較し、一致するかを判定する（ステップＳ６０５）。リンクデータ生成部１０２は、図面データに基づいて生成した作業対象物のＩＤと報告書データに記述されているＩＤとが一致する場合、その作業対象物が隔離対象物であると判定する（ステップＳ６０６）。リンクデータ生成部１０２は、図面データに基づいて生成された一覧情報に含まれる作業対象物のＩＤに基づいて、そのＩＤの示す作業対象物が隔離対象物であると判定すると、その隔離対象物のリンクデータを生成する（ステップＳ６０７）。リンクデータには、隔離対象物であると判定した作業対象物のＩＤと、そのＩＤを含む報告書データの保存先を示すＵＲＬが含まれていてよい。リンクデータはアイコン画像であって、そのアイコン画像にＵＲＬの情報が格納されてよい。リンクデータは当該ＵＲＬの情報などのリンク先を示す、ＨＴＭＬなどのマークアップ言語の情報を含んでいてよい。なお報告書データの保存先を示すＵＲＬは、リンクデータ生成部１０２が報告書データを取得する際に、その保存先であるＵＲＬを検出するようにすればよい。
【００２６】
リンクデータ生成部１０２は、報告書データ記憶装置３に記録されている報告書データを順に取得し、同様の処理を繰り返す。つまりリンクデータ生成部１０２は取得した全ての報告書データについて、その報告書データに記載されているＩＤが図面データから取得したＩＤと一致するかの判定処理を繰り返したかを判定する（ステップＳ６０８）。リンクデータ生成部１０２は全ての報告書データについての当該処理を終了した場合には、リンクデータの生成を終了する。リンクデータ生成部１０２は図面データ更新部１０３に処理の開始を指示する。
【００２７】
図面データ更新部１０３は生成済みのリンクデータに含まれるＩＤを読み取る。図面データ更新部１０３はリンクデータに含まれるＩＤに基づいて、図面データが端末等の装置で表示された際にリンクデータに含まれるＩＤが出現する図面上の原点を基準とする表示座標を特定する。図面データ更新部１０３は、生成された全てのリンクデータについて同様に表示座標を特定する。図面データ更新部１０３は、図面データが端末などの装置で表示された際に、そのリンクデータを示すアイコン画像が、その表示座標上に表示されるよう図面データを更新する（ステップＳ６０９）。または図面データ更新部１０３は、そのような図面データを新たに生成してもよい。具体的にはリンクデータと、そのリンクデータが示すアイコン画像と、その図面上の表示座標とを示す情報を、図面データに埋め込む。図面データ更新部１０３は、図面データの更新または生成が終了したこと判定し、処理を完了する。図面データ更新部１０３は、更新または新たに生成した図面データを情報管理装置１の記憶部に記録する。図面データ更新部１０３は、図面データ記憶装置２に、更新または新たに生成した図面データを記録してもよい。
【００２８】
図７は更新後の図面データの表示例を示す図である。
図７が示す図面データにおいて、Ｌ１，Ｌ２，Ｌ３はリンクデータが示すアイコン画像を示している。作業対象物であるタンクＢ１０１、タンクＢ３０１、計測器Ｃ１１の各ＩＤが、報告書データ記憶装置３に記録されている各報告書データに記録されていた場合、それら作業対象物は、情報管理装置１によって隔離対象物と判定される。図面データにおいて隔離対象物と判定されたＩＤには、図面データ更新部１０３は、Ｌ１，Ｌ２，Ｌ３で示すようなアイコン画像を表示する図面データを生成する。携帯端末５は情報管理装置１にアクセスして図７で示す、更新後のまたは新たに生成された図面データを取得し、携帯端末５の表示部に表示することができる。
【００２９】
図８は更新後の図面データに対する操作例を示す図である。
携帯端末５は、情報管理装置１によって更新された、または新たに生成された図面データを受信すると、その図面データを表示部に表示する。携帯端末５のユーザは、図面データに基づく表示画像において、リンクデータを操作指定することができる。具体的にはリンクデータのアイコン画像をクリック操作する。図中の符号Ｍで表す矢印はカーソルを示している。上述したようにリンクデータには当該リンクデータが示す隔離対象物についての報告書データのＵＲＬへのリンク情報が含まれている。携帯端末５はリンクデータのアイコン画像がクリックされたことを検出すると、そのリンクデータに格納されたＵＲＬへアクセスする。これにより携帯端末５は当該ＵＲＬに基づく報告書データの取得要求を情報管理装置１へ送信する。情報管理装置１の送信部は、報告書データの取得要求を受信すると、その取得要求が示すＵＲＬに対応する記憶領域に保存されている、リンクデータに対応する報告書データＤ１００を携帯端末５へ送信する。なおこの場合、情報管理装置１はウェブサーバ等の文書情報配信機能を有しているものとする。
【００３０】
携帯端末５を利用するユーザはプラントの保守管理担当者などである。上述の処理によれば情報管理装置１は、図７で示すような取得した図面データを、隔離対象物についてのリンクデータが表示される図面データへと更新する。または情報管理装置１は隔離対象物についてのリンクデータが表示される図面データを生成する。そして情報管理装置１は保守管理担当者等の使用する携帯端末５へその図面データを送信することができる。したがって、保守管理担当者は保守作業の間に、遠隔から図面データを閲覧することができ、また作業対象物のうち隔離対象物となる対象を容易に把握することができるようになる。また保守管理担当者は隔離対象物についての報告書データへアクセスして内容を閲覧することができるため、隔離対象物についての隔離期間などの詳細を閲覧でき、情報管理装置１は、保守作業において保守管理担当者が隔離対象物を誤って操作してしまうことを防ぐことができる。
【００３１】
情報管理装置１は報告書データの代わりに、対象物情報記憶装置４で記録されている対象物の管理情報に携帯端末５がアクセスできるように、当該管理情報のＵＲＬをリンクデータに格納するようにしてもよい。この場合、データ取得部１０１は、対象物情報記憶装置４に記録されている管理情報（操作マニュアル、作業管理情報、予備品情報など）を取得する。データ取得部１０１はその管理情報をリンクデータ生成部１０２へ出力する。リンクデータ生成部１０２は上述したリンクデータの生成と同様に、図面データに含まれるＩＤと一致するＩＤを含む管理情報を特定する。リンクデータ生成部１０２は、報告書データについてのリンクデータの生成と同様に、図面データから認識したＩＤが管理情報に記述されているかを判定する。リンクデータ生成部１０２は、図面データから認識したＩＤが管理情報に記述されている場合には、その管理情報についてのリンクデータを生成する。リンクデータ生成部１０２は報告書データと管理情報の両方のＵＲＬを示すリンクデータを生成するようにしてもよい。図面データ更新部１０３は、同様に生成されたリンクデータを用いて図面データを更新、または新たな図面データを生成する。このような処理を行うことで情報管理装置１は、携帯端末５から、作業対象物や隔離対象物についての管理情報（操作マニュアル、作業管理情報、予備品情報など）が容易にアクセスできる図面データを生成することができる。
【００３２】
上述の情報管理装置１の処理によれば、さらに、情報管理装置１は、既にプラントの管理業者が保持している図面データや報告書データや対象物の管理情報を、既存のサーバ装置（図面データ記憶装置２、報告書データ記憶装置３、対象物情報記憶装置４）から取得する。したがって、既存のネットワークシステム上に記録されている情報を用いて図７で示すような図面データを生成することができる。
また図面データが変更されても、再度その更新後の図面データを用いて上述と同様の処理を行うことで、容易に変更された新たな図面データに基づくリンクデータが付与された図面データへと更新することができる。
【００３３】
上述の情報管理装置１の処理では、プラントの図面データを用いて処理を行っているが、建築現場などの建築物の構内図、電気配線図などの図面データを用いて同様の処理を行うようにして良い。建築物の構内図において表示される図面データには作業対象物として、階段、廊下、扉、昇降機、などが表示されてよい。電気配線図において表示される図面データには作業対象物として配線、スイッチ、素子、などが表示されてよい。情報管理装置１は図面データに記述されているこれら作業対象物について、上記と同様に隔離対象物かどうかを判定する。
【００３４】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００３５】
１・・・情報管理装置
２・・・図面データ記憶装置
３・・・報告書データ記憶装置
４・・・対象物情報記憶装置
５・・・携帯端末
１０１・・・データ取得部
１０２・・・リンクデータ生成部
１０３・・・図面データ更新部
１０４・・・送信部
【図１】
0006765216.tif 000002
【図２】
0006765216.tif 000003
【図３】
0006765216.tif 000004
【図４】
0006765216.tif 000005
【図５】
0006765216.tif 000006
【図６】
0006765216.tif 000007
【図７】
0006765216.tif 000008
【図８】
0006765216.tif 000009